(57)【要約】【課題】  バイクや大型車を含め全ての車両をセキュリティー、プライバシーの両面で安心して保管が出来る自走式室内個別集合ガレージを提供する。個人でガレージを所有出来ない人または複数の車両、高級車両を所有している人が簡単に個別の専用ガレージを使用することが出来る上、土地を有効に活用出来る利点がある。【解決手段】  土地を有効に活用出来るよう複数階の建物にし、自走式傾斜路で上階の個別ガレージルームへ。全車種に対応出来るよう多用な広さの部屋を用意。メインエントランスと各ガレージルームの入り口にセキュリティー付電動シャッターを設置し防犯面に配慮。室内でエンジンを回せるよう換気ダクト、強制ファンを設置。各部屋にトイレや寛げるスペースも用意。外観や内装に拘り高級感のあるガレージにする。１階部分にセカンドカー対応の駐車場と洗車場を設け、利便性を図る。【選択図】図１
2009041356.tif 000002
【特許請求の範囲】
【請求項１】
２階以上の自走式による集合ガレージ
【請求項２】
室内でエンジンを回せるよう各部屋に換気ダクト、ファンを設置
【請求項３】
ガレージのメインエントランス及び各ガレージ入り口に電動シャッターを装備しセキュリティー、プライバシーの面に配慮
【請求項４】
１階部分にセカンドカー対応の吹き抜けフリーパーキングスペースと洗車場の設置
【請求項５】
バイクや小型車を含め、ＳＵＶや大型高級車両にも対応できる多様な間取
【請求項６】
外壁や内装に拘り、高級感あるガレージを演出
【発明の詳細な説明】
【技術分野】
【０００１】本発明は、バイク、大型車を含む全ての車両を自然災害やいたずら、盗難から守り、個人でガレージを所有することが難しい一般の人やマンション住まいで駐車スペースに問題のある人、愛車を大切に保管したいと考えている人々のために考えられた物件である。また複数の車両や高級外車などを所有している人でも簡単に高級ガレージを使用することができるようにする。
【技術背景】
【０００２】従来は車を駐車するためだけの立体および平面駐車場はあったが、セキュリティー、プライバシーの両方の面で安心とはいえなかった。また最近は治安も悪く高級車を自宅の前に停めておくことに抵抗がある人も多い。
【０００３】従来のマンションの立体駐車場にはＳＵＶ車や高級外車等の大型車を受け入れるスペースが極めて少なかったため、それらの車両の購入を諦める人も多くいた。
【０００４】エレベーター式の場合だとメンテナンス等費用がかかる。
【０００５】これまでの駐車場のイメージは殺風景で暗い印象があった。
【発明の開示】
【発明が解決しようとする課題】
【０００６】２階以上の自走式の集合ガレージにすることにより土地を有効に活用。メインエントランスと個別ガレージの入り口に電動シャッターを設けることにより防犯面で安全な上、シャッターは外から中が見えない造りとするためプライバシーも守られる。【０００７】車両やバイクを自然災害やいたずら、盗難から守り大切に保管し観賞できる場所が欲しい人がこれまでにそのようなスペースが無いために車両を購入する機会を失うことがあった。本発明はこの課題を解消するためになされたものである。【０００８】本発明は従来のマンションタイプの立体駐車場の規格外にあたるＳＵＶ車や高級外車を所有している人、またはこれから購入を検討している人が安心して使用できるガレージを提供できるようにしたものである。【０００９】自走傾斜路にすることにより、エレベーター装置を使用せずに済むので比較的リーズナブルな値段で専用のガレージを提供することができる。【００１０】これまではバイク専用の駐車スペースと車両専用の駐車ペースと分かれているのが主であったが、各ガレージの広さを多様に設計することにより、個々のニーズに応じた使い方が可能である。【００１１】高級感ある集合ガレージとして、これまでの殺風景な駐車場のイメージからオシャレで開放的な空間にする。
【課題を解決するための手段】
【００１２】ガレージを自走式個別タイプにすることにより一般の人が高級ガレージを所有し易くした。ガレージのメインエントランス（４）と各個別ガレージ（３）の入り口二重にセキュリティー付の電動シャッター（１４）を設置することにより、いたずらや盗難を防止し、外から中が見えないようにするためプライバシーを配慮した設計になる。また室内で保管出来るため雨風埃や自然災害から車両を守ることが可能となったため下取りの際のメリットも大きい。各ガレージルームには照明や窓を付け、明るく開放的にする。バイク、小型車、ＳＵＶ車や大型車両を含む全ての車両（１）はメインエントランス（４）のセキュリティーゲート（１４）を通って自走式傾斜路（２）で上階へ。メイン通路の片側もしくは両側に個別の専用ガレージ（３）を設ける。各ガレージルームは車両ごとに大きさを分けているので、全てのバイク、車両に利用可能。【００１３】室内ではエンジンを回したり出来るように換気ダクト（６）と強制ファン（７）を設置。【００１４】火災など万が一の安全のため、各部屋にはスプリンクラー（１０）、火災警報機（１５）を設置。【００１５】個々のニーズに合うようにガレージルーム内に寛げるスペース（９）を設け、ガレージを心地よい空間にする。トイレ（８）を各部屋に標準装備し、要望に応じてミニキッチンなどを取り入れるなど多様な部屋を用意。【００１６】１階部分にオーナー専用のフリー駐車場（１１）を設け、セカンドカーで集合ガレージに来た場合などに対応。同じく１階部分にオーナー専用の洗車スペース（１２）を設け、ガレージを使い易くする。１階から上階へは非常階段（１３）などを利用。【００１７】これまでのコンクリート駐車場とは異なり、外観や内装等拘った造りにすることにより高級感を演出。一般の人々がガレージを所有することに興味を持つようになると思われる。
【発明の効果】
【００１８】この自走式集合ガレージがあれば、主体となる住居をリフォームすることなく誰でも高級ガレージを手に入れることが出来るため、車両を購入する際の後押しとなる。またマンション住まいの人でもＳＵＶ車や大型車を購入する際に駐車場を気にする必要が無くなる。メインエントランスと各ガレージルームはセキュリティー付電動シャッターで二重に守られているため、いたずらや盗難防止にもなり、車両を室内で保管が出来るため自然災害や雨風埃から守ることが出来る。シャッターは外から中が見えない構造にし、プライバシーを守る。車愛好家は車両鑑賞を好む傾向にあるが実際そのようなガレージスペースを持つことは個人では土地や費用がかかるため実現しにくい。しかしこの自走式集合ガレージがあれば車愛好家のニーズに応えることが出来る。また傷等入りにくいため下取りの際のメリットも大きい。【００１９】定年退職を迎える団塊の世代の人の中には、これからこのような個別のガレージを持ちたいと考えている車愛好家の人も多いだろう。また景気回復と言われる中、高級車や高級バイクの購入を検討している人も増えていると思われる。まさに社会のニーズに合ったアイデアだと思われる。【００２０】最近は治安も悪く、愛車を一般の月極駐車場に停めておくのは盗難やピッキングなどの被害に遭う可能性が高いため安全ではない。また高級車を所有している場合、家の前に停めておくのも防犯の面で決して安心とはいえない。この自走式集合ガレージがあれば他人に高級車などを所有していることを悟られる心配もなく、車両を盗難やいたずらから守ることが出来るため安心である。【００２１】これまでの殺風景な駐車場のイメージから、オシャレで開放的なガレージとして提供することで、より多くの人がガレージを所有することに興味を持つようになると思われる。
【発明を実施するための最良の形態】
【００２２】本発明はバイクや大型車を含む全ての車両（１）を自走式傾斜路（２）で２階以上の上階へ走らせ、個別のガレージルーム（３）に保管できる設計となっている。各ガレージルームには窓や照明を付け、明るく開放的にする。メイン通路の両側もしくは片側に個別のガレージルーム（３）を設け、車両を入庫または出庫し易い設計。室内で保管するため、車両を自然災害や雨風埃、盗難から守ることが出来る。ガレージのメインエントランス（４）と個別ガレージルーム入り口（５）に電動のセキュリティーシャッター（１４）を設け、防犯面に配慮し、シャッターは外から中が見えないようにするためプライバシーも守られる。バイクや小型車、ＳＵＶ車や大型車両の全てを考慮し、多様な広さの部屋を設置。各ガレージルーム（３）内でエンジンを回したり出来るよう換気ダクト（６）と強制ファン（７）を設置。キッチン、トイレ（８）などを要望に応じて設け快適かつ高級なガレージを演出。窓も設け解放的な造りにする。車愛好家等個々のニーズに応えるよう、車両を鑑賞できるよう寛げるスペース（９）も用意。スプリンクラー（１０）火災警報器（１５）を設置し万が一の事態に備える。【００２３】この自走式集合ガレージまでセカンドカー等で来る場合を考慮し、１階部分にオーナー専用のフリー駐車、駐輪スペース（１１）を設ける。またオーナー専用の洗車場（１２）を設け利便性を図る。１階部分と上階は非常階段（１３）で行き来することが出来、車両通行の邪魔にならないよう設計。【００２４】外壁や内装等にこだわり、これまでの殺風景な駐車場のイメージを一新することで、より多くの人がガレージを所有することに興味を持つようになると思われる。余裕があれば、メインの通行路の両側に個別ガレージを、また２階以上の設計にするなどして土地を有効に活用。
【図面の簡単な説明】
【００２５】
【図１】本発明の建物の大まかな考案図である。
【図２】本発明の各ガレージルーム内の考案図である。
【図３】本発明の１階部分フリースペースの考案図である。
【符号の説明】
【００２６】  １  車両（バイク、大型車全てを含む）
２  自走式傾斜路
３  個別ガレージルーム（照明付）
４  メインエントランス
５  個別ガレージルームエントランス
６  換気ダクト
７  強制ファン
８  トイレ、キッチン
９  車両鑑賞スペース（寛げる空間）
１０  スプリンクラー
１１  オーナー専用フリー駐車スペース
１２  オーナー専用洗車場
１３  非常階段
１４  セキュリティー付電動シャッター
１５  火災警報器
【図１】
2009041356.tif 000003
【図２】
2009041356.tif 000004
【図３】
2009041356.tif 000005